(57)【要約】【課題】  作業者が取付部位の一方の側から取付作業を行うことにより、タグを商品に取付けれるようにする。【解決手段】  タグをアワビに取付ける場合に、タグが一体に形成されているタグ取付具１の弾性変形部材４を弾性変形させた状態で吸水孔３０に挿入させ、弾性変形された弾性変形部材４を吸水孔３０の内周部分３０ａで復元させ、弾性変形部材４を吸水孔３０の内周部分３０ａで殻２９に係止させる。作業者は、殻２９の外側から取付作業を行うことにより、アワビの殻２９の内側に付着している身に損傷を与えることなく、タグ取付具１をアワビに取付けることができ、タグをアワビに取付けることができる。【選択図】  図１
2005189916.tif 000002
【特許請求の範囲】
【請求項１】
データを記録可能であると共に当該記録されているデータが電磁的または光学的に読取られるように構成されたタグを、少なくとも１つの孔が本体に形成されている商品に取付ける方法であって、
タグが取付可能にまたは一体に構成されると共に外部からの作用が与えられると変形し外部からの作用が放たれると復元する変形部材を備えたタグ取付具を用いて、外部からの作用を与えて前記変形部材を変形させた状態で孔に挿入させ、外部からの作用を放して前記変形部材を孔の内周部分で復元させることにより、前記タグ取付具を商品に取付けることを特徴とするタグ取付方法。
【請求項２】
請求項１に記載したタグ取付方法において、
外部からの作用として力を利用し、前記変形部材に力を与えて前記変形部材を変形させることを特徴とするタグ取付方法。
【請求項３】
請求項２に記載したタグ取付方法において、
前記タグ取付具が収容されると前記弾性変形部材に収縮力を与えて前記弾性変形部材を弾性変形させる取付装置を用いて、前記タグ取付具を前記取付装置に収容して前記弾性変形部材を弾性変形させることを特徴とするタグ取付方法。
【請求項４】
請求項１に記載したタグ取付方法において、
外部からの作用として熱を利用し、前記変形部材に熱を与えて前記変形部材を変形させることを特徴とするタグ取付方法。
【請求項５】
請求項４に記載したタグ取付方法において、
前記タグ取付具が収容されると前記変形部材に熱を与えて前記変形部材を変形させる取付装置を用いて、前記タグ取付具を前記取付装置に収容して前記変形部材を変形させることを特徴とするタグ取付方法。
【請求項６】
請求項１ないし５のいずれかに記載したタグ取付方法において、
前記変形部材が変形された状態で前記タグ取付具を外部に押出す取付装置を用いて、前記変形部材を変形させた状態で孔に挿入させることを特徴とするタグ取付方法。
【請求項７】
データを記録可能であると共に当該記録されているデータが電磁的または光学的に読取られるタグが取付可能にまたは一体に構成されたタグ取付具であって、
商品の本体に形成されている孔に対して変形された状態で挿入可能であると共に変形された状態から復元された状態で挿入不可能に構成された変形部材を備え、
前記変形部材が孔の内周部分で変形された状態から復元されて本体に係止され、商品に取付けられることを特徴とするタグ取付具。
【請求項８】
請求項７に記載したタグ取付具において、
前記変形部材は、力が与えられて変形されることを特徴とするタグ取付具。
【請求項９】
請求項８に記載したタグ取付具において、
前記変形部材は、タグ取付具を収容可能な取付装置から収縮力が与えられて変形されることを特徴とするタグ取付具。
【請求項１０】
請求項７に記載したタグ取付具において、
前記変形部材は、熱が与えられて変形されることを特徴とするタグ取付具。
【請求項１１】
請求項１０に記載したタグ取付具において、
前記変形部材は、タグ取付具を収容可能な取付装置から熱が与えられて変形されることを特徴とするタグ取付具。
【請求項１２】
請求項１０または１１に記載したタグ取付具において、
前記変形部材は、形状記憶合金により構成されていることを特徴とするタグ取付具。
【請求項１３】
請求項７ないし１２のいずれかに記載したタグ取付具において、
タグとして機能するタグ本体部が一体に構成され、前記タグ本体部のサイズが商品の本体に形成されている孔の外径よりも小さく構成されていることを特徴とするタグ取付具。
【請求項１４】
請求項７ないし１３のいずれかに記載したタグ取付具において、
前記変形部材は、挿入方向に垂直な方向の断面形状が複数の凹凸を有する凹凸形状に構成されていることを特徴とするタグ取付具。
【請求項１５】
請求項７ないし１３のいずれかに記載したタグ取付具において、
前記変形部材は、挿入方向に垂直な方向の断面形状が円形状または多角形状に構成されていることを特徴とするタグ取付具。
【請求項１６】
請求項７ないし１３のいずれかに記載したタグ取付具において、
前記変形部材は、少なくとも２本の線状部材から構成されていることを特徴とするタグ取付具。
【請求項１７】
データを記録可能であると共に当該記録されているデータが電磁的または光学的に読取られるタグが取付可能にまたは一体に構成されたタグ取付具を商品に取付けるために用いられる取付装置であって、
前記タグ取付具に設けられている変形部材を変形させる変形機構と、
前記変形部材が前記変形機構により変形された状態で前記タグ取付具を外部に押出す押出機構とを備えたことを特徴とする取付装置。
【請求項１８】
請求項１７に記載した取付装置において、
前記変形機構は、前記変形部材に収縮力を与えて前記変形部材を変形させることを特徴とする取付装置。
【請求項１９】
請求項１７に記載した取付装置において、
前記変形機構は、前記変形部材に熱を与えて前記変形部材を変形させることを特徴とする取付装置。
【発明の詳細な説明】
【技術分野】
【０００１】
本発明は、データを記録可能であると共に当該記録されているデータが電磁的または光学的に読取られるように構成されたタグを商品に取付ける方法、当該タグを商品に取付ける場合に用いられるタグ取付具、当該タグ取付具を商品に取付ける場合に用いられる取付装置に関する。
【背景技術】
【０００２】
ＲＦＩＤタグや二次元コードタグの利用形態の一つとして、これらのタグを例えば肉牛などの家畜に取付けることにより、家畜の生産地や生産者などを管理するものがある。この場合、タグを家畜に取付ける方法としては、例えばタグが内蔵されたプレートを耳の表側に配置し、ピンを耳の裏側から耳介を貫通するようにして差込み、ピンの先端部をプレートの通孔に装着することにより、タグを家畜に取付ける方法がある（特許文献１参照）。
【特許文献１】特開２００３−７０３７２号公報
【発明の開示】
【発明が解決しようとする課題】
【０００３】
しかしながら、タグを取付ける商品（タグ取付対象物）が例えば海産物の一つであるアワビである場合を想定すると、アワビの構造上、殻に吸水孔が形成されているものの、殻の内側に付着している身を損傷させないようにするために、作業者は、殻の外側からしか取付作業を行うことができない。つまり、タグをアワビに取付ける場合には、作業者は、取付部位である吸水孔の外側からしか取付作業を行うことができず、上記した特許文献１に記載されている方法を適用することができない。
【０００４】
本発明は、上記した事情に鑑みてなされたものであり、その目的は、作業者が取付部位の一方の側から取付作業を行うことにより、タグを商品に取付けることができるタグ取付方法、タグ取付具および取付装置を提供することにある。
【課題を解決するための手段】
【０００５】
請求項１に記載した取付方法によれば、データを記録可能であると共に当該記録されているデータが電磁的または光学的に読取られるように構成されたタグを、少なくとも１つの孔が本体に形成されている商品に取付ける場合に、タグが取付可能にまたは一体に構成されると共に外部からの作用が与えられると変形し外部からの作用が放たれると復元する変形部材を備えたタグ取付具を用いて、外部からの作用を与えて変形部材を変形させた状態で孔に挿入させ、外部からの作用を放して変形部材を孔の内周部分で復元させることにより、タグ取付具を商品に取付ける手順を行う。
【０００６】
すなわち、本発明の取付方法によれば、変形部材を変形させると、その変形された変形部材に元の形状に戻ろうとする復元力が発生するという特徴を利用するもので、変形された変形部材を取付部位の一方の側から孔に挿入させ、変形部材を孔の内周部分で復元させることにより、その変形部材に発生される復元力により変形部材を孔の内周部分で本体に係止させることができる。
【０００７】
これにより、作業者は、取付部位の一方の側から取付作業を行うことにより、タグ取付具を商品に取付けることができ、タグを商品に取付けることができる。つまり、商品がアワビである場合には、作業者は、殻の外側から取付作業を行うことにより、アワビの殻の内側に付着している身に損傷を与えることなく、タグ取付具をアワビに取付けることができ、タグをアワビに取付けることができる。
【０００８】
尚、ここでいう電磁的に読取られるとは、タグがＲＦＩＤタグである場合に、ＲＦＩＤタグからデータが電磁界または電磁波を用いて非接触通信で読取られて復調されることをいうものであり、また、光学的に読取られるとは、タグが例えば１次元コードタグまたは２次元コードタグである場合に、１次元コードタグまたは２次元コードタグからコード情報が光学的画像としてコードリーダにより読取られてデコード化されることをいうものである。
【０００９】
請求項２に記載したタグ取付方法によれば、外部からの作用として力を利用し、変形部材に力を与えて変形部材を変形させるので、作業者は、変形部材に力を与えることにより、変形部材を容易に変形させることができる。
【００１０】
請求項３に記載したタグ取付方法によれば、タグ取付具が収容されると変形部材に収縮力を与えて変形部材を変形させる取付装置を用いて、タグ取付具を取付装置に収容して変形部材を変形させるので、作業者は、タグ取付具を取付装置に収容することにより、取付装置から変形部材に収縮力を作用させることができ、取付装置から変形部材に作用される収縮力により変形部材を容易に変形させることができる。
【００１１】
請求項４に記載したタグ取付方法によれば、外部からの作用として熱を利用し、変形部材に熱を与えて変形部材を変形させるので、作業者は、変形部材に熱を与えることにより、変形部材を容易に変形させることができる。
【００１２】
請求項５に記載したタグ取付方法によれば、タグ取付具が収容されると変形部材に熱を与えて変形部材を変形させる取付装置を用いて、タグ取付具を取付装置に収容して変形部材を変形させるので、作業者は、タグ取付具を取付装置に収容することにより、取付装置から変形部材に熱を作用させることができ、取付装置から変形部材に作用される熱により変形部材を容易に変形させることができる。
【００１３】
請求項６に記載したタグ取付方法によれば、変形部材が変形された状態でタグ取付具を外部に押出す取付装置を用いて、変形部材を変形させた状態で孔に挿入させるので、作業者は、タグ取付具を取付装置から押出すことにより、変形部材を変形させた状態で孔に容易に挿入させることができる。
【００１４】
請求項７に記載したタグ取付具によれば、商品の本体に形成されている孔に対して変形された状態で挿入可能であると共に変形された状態から復元された状態で挿入不可能に構成された変形部材を備え、変形部材が孔の内周部分で変形された状態から復元されて本体に係止され、商品に取付けられるように構成した。したがって、上記した請求項１に記載したものと同様にして、作業者は、取付部位の一方の側から取付作業を行うことにより、タグ取付具を商品に取付けることができ、タグを商品に取付けることができる。つまり、商品がアワビである場合には、作業者は、殻の外側から取付作業を行うことにより、アワビの殻の内側に付着している身に損傷を与えることなく、タグ取付具をアワビに取付けることができ、タグをアワビに取付けることができる。
【００１５】
請求項８に記載したタグ取付具によれば、変形部材は、力が与えられて変形されるので、上記した請求項２に記載したものと同様にして、作業者は、変形部材に力を与えることにより、変形部材を容易に変形させることができる。
【００１６】
請求項９に記載したタグ取付具によれば、変形部材は、タグ取付具を収容可能な取付装置から収縮力が与えられて変形されるので、上記した請求項３に記載したものと同様にして、作業者は、タグ取付具を取付装置に収容することにより、取付装置から収縮力を変形部材に作用させることができ、取付装置から変形部材に作用される収縮力により変形部材を容易に変形させることができる。
【００１７】
請求項１０に記載したタグ取付具によれば、変形部材は、熱が与えられて変形されるので、上記した請求項４に記載したものと同様にして、作業者は、変形部材に熱を与えることにより、変形部材を容易に変形させることができる。
【００１８】
請求項１１に記載したタグ取付具によれば、変形部材は、タグ取付具を収容可能な取付装置により熱が与えられて変形されるので、上記した請求項５に記載したものと同様にして、作業者は、タグ取付具を取付装置に収容することにより、取付装置から熱を変形部材に作用させることができ、取付装置から変形部材に作用される熱により変形部材を容易に変形させることができる。
【００１９】
請求項１２に記載したタグ取付具によれば、変形部材は、形状記憶合金により構成されているので、作業者は、形状記憶合金の特性を利用し、タグ取付具を商品に取付けることができ、タグを商品に取付けることができる。
【００２０】
請求項１３に記載したタグ取付具によれば、タグとして機能するタグ本体部が一体に構成され、タグ本体部のサイズが商品の本体に形成されている孔の外径よりも小さく構成されているので、作業者は、複数のタグ取付具を取付装置に直列に収容した状態からタグ取付具を１個ずつ順次押出すことにより、タグ取付具を商品に取付けることができ、タグを商品に取付けることができる。
【００２１】
請求項１４に記載したタグ取付具によれば、変形部材は、挿入方向に垂直な方向の断面形状が複数の凹凸を有する凹凸形状に構成されているので、作業者は、変形部材を凸部で本体に係止させることができ、タグ取付具を商品に確実に（強固に）取付けることができる。
【００２２】
請求項１５に記載したタグ取付具によれば、変形部材は、挿入方向に垂直な方向の断面形状が円形状または多角形状に構成されているので、作業者は、変形部材から孔に作用される力を均一にさせて変形部材を本体に係止させることができ、タグ取付具を商品に確実に取付けることができる。
【００２３】
請求項１６に記載したタグ取付具によれば、変形部材は、少なくとも２本の線状部材から構成されているので、作業者は、変形部材を２点で本体に係止させることができ、タグ取付具を商品に確実に取付けることができる。
【００２４】
請求項１７に記載した取付装置によれば、タグ取付具に設けられている変形部材を変形させる変形機構と、変形部材が変形機構により変形された状態でタグ取付具を外部に押出す押出機構とを備えて構成されている。これにより、作業者は、本発明の取付装置を用いることにより、タグ取付具に設けられている変形部材を変形機構により容易に変形させることができ、変形部材が変形された状態でタグ取付具を押出機構により外部に容易に押出すことができ、タグ取付具を商品に容易に取付けることができる。
【発明を実施するための最良の形態】
【００２５】
（第１の実施形態）
以下、本発明の第１の実施形態として、タグを取付ける商品としてアワビを適用し、タグが一体に構成されてなるタグ取付具をアワビに取付けることにより、タグをアワビに取付ける方法について、図１ないし図３を参照して説明する。
【００２６】
まず、図２は、タグ取付具の斜視図を示している。タグ取付具１は、樹脂を材料として円柱状に成形されているタグ本体部２と、樹脂を材料として円盤状に成形されている樹脂からなる基台部材３と、例えば発泡ウレタンを材料として弾性変形が可能な弾性変形部材４（本発明でいう変形部材）とが組合されて構成されている。弾性変形部材４は、４つの片部４ａ〜４ｄが対称性を有する形状に構成され、それら４つの片部４ａ〜４ｄの各々が図２中矢印Ａ１〜Ａ４方向に弾性変形可能に構成されていると共に、挿入方向（図２中矢印Ｂ方向）に垂直な方向（平面方向）の断面形状が凹凸形状に構成されている。尚、弾性変形部材４は、その挿入方向に垂直な方向の断面形状が円形状や多角形状に構成されていても良い。
【００２７】
タグ本体部２は、タグとして機能するもので、図２（ａ）に示すように、ＩＣチップ５とアンテナコイル６とが内蔵されてなるＲＦＩＤタグにより構成されていても良いし、図２（ｂ）に示すように、その表面２ａに２次元コード（本実施形態ではＱＲコード）７が印刷または添付されている２次元コードタグにより構成されていても良い。また、上記した構成では、タグ本体部２が基台部材３を介して弾性変形部材４に取付けられている構成であるが、基台部材３が省略されている構成であっても良く、つまり、タグ本体部２が弾性変形部材４に直接取付けられている構成であっても良い。
【００２８】
図３は、上記したタグ取付具１をアワビに取付けるために用いられる取付装置の構成を概略的に示している。取付装置１１は、回転軸Ｃを回転中心として回転可能な切出機構１２と、切出機構１２を支持する本体１３とから構成されている。切出機構１２は、各々がタグ取付具１を１個ずつ収容可能な２つのタグ取付具収容部１４を備え、切出機構１２の全体が回転軸Ｃを回転中心として１８０度回転する毎に、それらのうち一方が押出位置（図３では上側の位置）に位置されると共に、他方が充填位置（図３では下側の位置）に位置されるように構成されている。
【００２９】
この場合、タグ取付具収容部１４の押出口１５の口径（図３中Ｌ１参照）は、タグ取付具１の自由状態にある（弾性変形されていない）弾性変形部材４の径（図３中Ｌ２参照）よりも狭く（小さく）なっており、また、タグ取付具１のタグ本体部２の外径（図３中Ｌ３参照）は、タグ取付具収容部１４の押出口１５の口径よりも狭くなっている。つまり、タグ取付具１がタグ取付具収容部１４の押出口１５から押出される場合には、押出口１５から弾性変形部材４に収縮力が与えられ、弾性変形部材４が圧縮されるようになっている。
【００３０】
一方、本体１３は、頭部１６と把持部１７とが一体に連なって構成されている。この場合、頭部１６は、押出位置にあるタグ取付具収容部１４に収容されているタグ取付具１を外部に押出すための直進駆動モータ１８と、切出機構１２の全体を回転させるための減速機付モータ１９と、複数のタグ取付具１を直列に収容可能な筒状のマガジン２０とを備えて構成されている。
【００３１】
また、把持部１７は、作業者が操作するための例えば押しボタン式の操作スイッチ２１と、取付装置１１の動作全体を制御する制御回路２２とを備えると共に、動作電源となる電池２３が電池着脱機構（図示せず）を介して着脱可能に構成されている。尚、取付装置１１は、これらの他に動作状態を検出する各種のセンサ（例えば回転検出センサなど）が設けられて構成されても良い。
【００３２】
このように構成された取付装置１１によれば、制御回路２２は、作業者が操作スイッチ２１を操作すると、直進駆動モータ１８を駆動させ、押出部材２４を図３中矢印Ｄ１方向に所定ストローク分だけ移動させることにより、押出位置にあるタグ取付具収容部１４に収容されているタグ取付具１を押出部材２４により押出口１５から外部に押出す。このとき、上記したように、押出口１５から弾性変形部材４に収縮力が与えられて弾性変形部材４が圧縮されるので、タグ取付具１は、その弾性変形部材４が弾性変形された状態で取付装置１１から押出されることになる。
【００３３】
次いで、制御回路２２は、直進駆動モータ１８を駆動させ、押出部材２４を図３中矢印Ｄ２方向に所定ストローク分だけ移動させることにより、押出部材２４を元の位置に復帰させる。そして、制御回路２２は、減速機付モータ１９を駆動させ、切出機構１２の全体を１８０度回転させることにより、押出位置にあるタグ取付具収容部１４と充填位置にあるタグ取付具収容部１４とを交替させる。このとき、充填位置から押出位置に交替されたタグ取付具収容部１４にはタグ取付具１が既に収容されており、一方、押出位置から充填位置に交替されたタグ取付具収容部１４にはマガジン２０の端部（図３では右端部）に配設されているバネ２５の付勢力が作用してマガジン２０から新たなタグ取付具１が速やかに充填されることになる。
【００３４】
尚、上記した構成では、作業者は、蓋２６をバネ２５と共に開放することにより、複数のタグ取付具１をマガジン２０に収容することが可能になっている。また、本発明でいう押出機構２７は、切出機構１２と押出部材２４とにより構成されており、本発明でいう弾性変形機構２８は、タグ取付具収容部１４の押出口１５により構成されている。
【００３５】
次に、上記した構成の作用として、このように構成されてなる取付装置１１を用いてタグ取付具１をアワビに取付ける手順について、図１を参照して説明する。この場合、アワビの殻２９（本発明でいう本体）には、自然的に少なくとも１つの吸水孔３０（本発明でいう孔）が形成されていることを前提として説明する。
【００３６】
最初に、作業者は、取付装置１１を殻２９（吸水孔３０）に近付け、押出位置にあるタグ取付具収容部１４に収容されているタグ取付具１の弾性変形部材４を吸水孔３０に挿入可能な位置に取付装置１１を位置決めする（図１（ａ）参照）。次いで、作業者は、取付装置１１の操作スイッチ２１を操作し、タグ取付具１を取付装置１１から吸水孔３０に押出す。このとき、タグ取付具１は、上記したように弾性変形部材４が収縮力により弾性変形された状態で押出口１５から外部に押出されることになるので、外部に押出された後では、弾性変形されていた弾性変形部材４に元の形状に戻ろうとする復元力が発生されることになり、弾性変形部材４が吸水孔３０の内周部分３０ａで弾性変形されていた状態から復元されると、弾性変形部材４が吸水孔３０の内周部分３０ａで殻２９に係止されることになる（図１（ｂ）参照）。そして、作業者は、このようにしてタグ取付具１の弾性変形部材４が吸水孔３０の内周部分３０ａで殻２９に係止された後に、取付装置１１を殻２９から遠ざける（図１（ｃ）参照）。
【００３７】
これにより、作業者は、以上に説明した一連の手順を行うことにより、殻２９の外側から取付作業を行うことにより、タグ取付具１をアワビに取付けることができ、ＲＦＩＤタグや２次元コードタグをアワビに取付けることができる。また、上記した一連の手順を連続して行うことにより、ＲＦＩＤタグや２次元コードタグを複数のアワビに連続して取付けることができる。
【００３８】
ところで、以上は、タグ本体部２がタグ取付具１に一体に構成されているために、タグ取付具１をアワビに取付けると同時に、タグ本体部２をアワビに取付けることができ、ＲＦＩＤタグや２次元コードタグをアワビに取付けることができるものであるが、タグ本体部がタグ取付具とは別体に構成されている場合であれば、最初にタグ取付具をアワビに取付け、続いてタグ本体部をタグ取付具に取付けることにより、ＲＦＩＤタグや２次元コードタグをアワビに取付けることもできる。
【００３９】
以上に説明したように第１の実施形態によれば、取付装置１１を用いて、タグ取付具１の弾性変形部材４を取付装置１１から与えられる収縮力により弾性変形させた状態で吸水孔３０に挿入させ、その弾性変形された弾性変形部材４を吸水孔３０の内周部分３０ａで復元させ、その復元力により弾性変形部材４を吸水孔３０の内周部分３０ａで殻２９に係止させるようにした。これにより、作業者は、殻２９の外側から取付作業を行うことにより、アワビの殻２９の内側に付着している身に損傷を与えることなく、タグ取付具１をアワビに取付けることができ、ＲＦＩＤタグや２次元コードタグをアワビに取付けることができる。
【００４０】
（第２の実施形態）
次に、本発明の第２の実施形態について、図４および図５を参照して説明する。尚、この場合、上記した第１の実施形態と同一部分については説明を省略し、異なる部分について説明する。この第２の実施形態は、上記した第１の実施形態と比較すると、タグ取付具における弾性変形部材の形状が異なっている。
【００４１】
すなわち、図５において、タグ取付具３１は、上記した第１の実施形態に記載したタグ本体部２と、基台部材３と、この場合は、各々が線状部材から構成される２本の弾性変形部材３２，３３とが組合されて構成されている。弾性変形部材３２，３３は、それぞれ湾曲状に成形されている湾曲部３２ａ，３３ａと、直線状に成形されている直線部３２ｂ，３３ｂとが組合わされた形状に構成されて基台部材３に取付けられており、その直線部３２ｂ，３３ｂが図５中矢印Ｅ１，Ｅ２方向に弾性変形可能に構成されている。
【００４２】
尚、この場合も、タグ本体部２は、図５（ａ）に示すように、ＩＣチップ５とアンテナコイル６とが内蔵されてなるＲＦＩＤタグにより構成されていても良いし、図５（ｂ）に示すように、その表面に２次元コード７が印刷または添付されている２次元コードタグにより構成されていても良い。また、タグ本体部２が弾性変形部材３２，３３に直接取付けられている構成であっても良い。
【００４３】
そして、この場合も、作業者は、上記した第１の実施形態に記載した取付装置１１を用いて一連の手順を行うことにより、図４（ａ）〜（ｃ）に示すように、殻２９の外側から取付作業を行うことにより、タグ取付具１をアワビに取付けることができ、ＲＦＩＤタグや２次元コードタグをアワビに取付けることができる。
【００４４】
以上に説明したように第２の実施形態によれば、取付装置１１を用いて、タグ取付具３１の弾性変形部材３２，３３を取付装置１１から与えられる収縮力により弾性変形させた状態で吸水孔３０に挿入させ、その弾性変形された弾性変形部材３２，３３を吸水孔３０の内周部分３０ａで復元させ、その復元力により弾性変形部材３２，３３を吸水孔３０の内周部分３０ａで殻２９に係止させるようにした。これにより、上記した第１の実施形態に記載したものと同様にして、作業者は、殻２９の外側から取付作業を行うことにより、アワビの殻２９の内側に付着している身に損傷を与えることなく、タグ取付具３１をアワビに取付けることができ、ＲＦＩＤタグや２次元コードタグをアワビに取付けることができる。
【００４５】
（第３の実施形態）
次に、本発明の第３の実施形態について、図６ないし図１０を参照して説明する。尚、この場合も、上記した第１の実施形態と同一部分については説明を省略し、異なる部分について説明する。この第３の実施形態も、上記した第１の実施形態と比較すると、タグ取付具における弾性変形部材の形状が異なっている。
【００４６】
すなわち、図７において、タグ取付具４１は、上記した第１の実施形態に記載したタグ本体部２と、基台部材３と、この場合は、各々が線状部材から構成される２本の弾性変形部材４２，４３とが組合されて構成されている。弾性変形部材４２，４３は、それぞれ係止部４２ａ，４３ａと棹部４２ｂ，４３ｂと直線部４２ｃ，４３ｃとが組合わされた形状に構成されて基台部材３に取付けられており、それら棹部４２ｂ，４３ｂと直線部４２ｃ，４３ｃとが弾性変形可能に構成されている。
【００４７】
尚、この場合も、タグ本体部２は、図７（ａ）に示すように、ＩＣチップ５とアンテナコイル６とが内蔵されてなるＲＦＩＤタグにより構成されていても良いし、図７（ｂ）に示すように、その表面に２次元コード７が印刷または添付されている２次元コードタグにより構成されていても良い。また、タグ本体部２が弾性変形部材４２，４３に直接取付けられている構成であっても良い。
【００４８】
図８は、上記したタグ取付具４１をアワビに取付けるために用いられる取付装置の構成を概略的に示している。取付装置５１は、曲げ機構５２と本体５３とから構成されている。曲げ機構５２は、支点５４を回転中心して図８中矢印Ｆ１方向に回転可能なアーム部５５と、支点５６を回転中心して図８中矢印Ｆ２方向に回転可能なアーム部５７との２本のアーム部５５，５７とを備えて構成されている。また、アーム部５５，５７は、その先端にタグ取付具４１の棹部４２ｂ，４３ｂの先端を引掛けるための爪部５５ａ，５７ａが形成されている（図９参照）。
【００４９】
一方、本体５３は、頭部５８と把持部５９とが一体に連なって構成されている。この場合、頭部５８は、複数のタグ取付具４１を弾性変形された状態で直列に収容可能な筒状のマガジン６０と、アーム部５５，５７を回転させるための駆動モータ６１とを備えて構成されている。また、把持部５９は、上記した第１の実施形態に記載した取付装置１１の把持部１７と同様にして、作業者が操作するための例えば押しボタン式の操作スイッチ６２と、取付装置５１の動作全体を制御する制御回路６３とを備えると共に、動作電源となる電池６４が電池着脱機構を介して着脱可能に構成されている。
【００５０】
このように構成された取付装置５１によれば、制御回路６３は、タグ取付具４１が図９（ａ）に示す状態では、作業者が操作スイッチ６２を操作すると、駆動モータ６１を回転させることにより、アーム部５５を図９中矢印Ｆ１方向に回転させると共にアーム部５７を図９中矢印Ｆ２方向に回転させる。このとき、弾性変形部材４２では、その棹部４２ｂがアーム部５５の爪部５５ａに先端が押されて全体的にカーブ形状に撓むと共に、その直線部４２ｃが支点５４を中心として全体的にカーブ形状に撓むことになる。また、弾性変形部材４３では、その棹部４３ｂがアーム部５７の爪部５７ａに先端が押されて全体的にカーブ形状に撓むと共に、その直線部４３ｃが支点５６を中心として全体的にカーブ形状に撓むことになる（図９（ｂ）参照）。
【００５１】
そして、この状態から駆動モータ６１が引続いて回転されると、図１０に示すラッチ機構が解除されることにより、アーム部５５が図９中矢印Ｆ３方向に回転されて元の位置に復帰されると共にアーム部５７が図９中矢印Ｆ４方向に回転されて元の位置に復帰されることになる。
ここで、上記したラッチ機構について、図１０を参照して説明する。尚、図１０では、アーム部５５のラッチ機構について説明するが、アーム部５７のラッチ機構についても、アーム部５５のラッチ機構と同様である。
【００５２】
すなわち、アーム部５５が初期位置（図１０（ａ）に示す位置）にある場合には、駆動モータ６１が回転すると、その回転力がベルト６５を介して外側回転体６６に伝達され、このとき、外側回転体６６と内側回転体６７との間にボール６８がバネ６８ａにより付勢されて介在されているので、外側回転体６６と内側回転体６７とが一体になって回転し、内側回転体６７に支持されているアーム部５５が図１０中矢印Ｆ１方向に回転されることになる。
【００５３】
そして、アーム部５５が内側回転体６７と共に所定の回転位置（図１０（ｂ）に示す位置）まで回転され、アーム部５５がストッパピン６９に当接すると、このとき、外側回転体６６には引続いて回転しようとする回転力が作用するが、内側回転体６７には回転を抑止しようと抑止力が作用することになり、ボール６８が外れることになる。そして、ボール６８が外れると、外側回転体６６のみが回転し（空転し）、コイルバネ７０の復帰力が作用することにより、アーム部５５が図１０中矢印Ｆ３方向に回転されて初期位置に復帰されることになる。
【００５４】
尚、上記した構成では、アーム部５５とアーム部５７とは、それらの回転動作や復帰動作が同調（同期）するように構成されている。また、取付装置５１は、切出機構７１を備えており、爪部７２ａ，７２ｂを有する回動部材７２が支点Ｐを回動中心として回動することにより、マガジン６０に収容されているタグ取付具４１が１個ずつ切出されるように構成されている。
【００５５】
次に、上記した構成の作用として、上記した取付装置５１を用いてタグ取付具４１をアワビに取付ける手順について、図６を参照して説明する。
最初に、作業者は、取付装置５１を殻２９（吸水孔３０）に近付け、タグ取付具４１の弾性変形部材４２，４３の係止部４２ａ，４３ａを吸水孔３０に挿入可能な位置に取付装置５１を位置決めする。次いで、作業者は、取付装置５１の操作スイッチ６２を操作し、タグ取付具４１の弾性変形部材４２，４３を弾性変形させ（図６（ａ）参照）、弾性変形部材４２，４３を弾性変形させた状態で係止部４２ａ，４３ａを吸水孔３０に挿入させる（図６（ｂ）参照）。
【００５６】
そして、この状態から、取付装置５１のラッチ機構が解除されると、タグ取付具４１が取付装置５１から外れることになるので、弾性変形されていた弾性変形部材４２，４３に元の形状に戻ろうとする復元力が発生され、弾性変形部材４２，４３の係止部４２ａ，４３ａが吸水孔３０の内周部分３０ａで殻２９に係止されると共に、棹部４２ｂ，４３ｂが吸水孔３０の縁部３０ｂに係止されることになる（図６（ｃ）参照）。そして、作業者は、このようにしてタグ取付具４１の弾性変形部材４２，４３が吸水孔３０の内周部分３０ａと縁部３０ｂとで殻２９に係止された後に、取付装置５１を殻２９から遠ざける。
【００５７】
これにより、作業者は、以上に説明した一連の手順を行うことにより、上記した第１の実施形態に記載したものと同様にして、殻２９の外側から取付作業を行うことにより、タグ取付具４１をアワビに取付けることができ、ＲＦＩＤタグや２次元コードタグをアワビに取付けることができる。また、この場合も上記した一連の手順を連続して行うことにより、ＲＦＩＤタグや２次元コードタグを複数のアワビに連続して取付けることができる。
【００５８】
以上に説明したように第３の実施形態によれば、取付装置５１を用いて、タグ取付具４１の弾性変形部材４２，４３を取付装置５１から与えられる収縮力により弾性変形させた状態で吸水孔３０に挿入させ、その弾性変形された弾性変形部材４２，４３を吸水孔３０の内周部分３０ａと縁部３０ｂとで復元させ、その復元力により弾性変形部材４２，４３を吸水孔３０の内周部分３０ａと縁部３０ｂとで殻２９に係止させるようにした。これにより、上記した第１の実施形態に記載したものと同様にして、作業者は、殻２９の外側から取付作業を行うことにより、アワビの殻２９の内側に付着している身に損傷を与えることなく、タグ取付具４１をアワビに取付けることができ、ＲＦＩＤタグや２次元コードタグをアワビに取付けることができる。
【００５９】
（第４の実施形態）
次に、本発明の第４の実施形態について、図１１ないし図１５を参照して説明する。尚、この場合も、上記した第１の実施形態と同一部分については説明を省略し、異なる部分について説明する。上記した第１の実施形態ないし第３の実施形態は、変形部材として弾性変形可能な弾性変形部材を採用し、取付装置から弾性変形部材に収縮力が与えられて弾性変形部材が弾性変形されるものであるが、これに対して、この第４の実施形態は、変形部材として熱により変形する変形部材を採用し、取付装置から変形部材に熱が与えられて変形部材が変形されるものである。
【００６０】
すなわち、図１２において、タグ取付具７１は、上記した第１の実施形態に記載したタグ本体部２と、この場合は、上記した第１の実施形態ないし第３の実施形態に記載した基台部材３よりも外形が僅かに大きな円盤状に成形されている基台部材７２と、各々が線状部材から構成される２本の変形部材７３，７４とが組合されて構成されている。変形部材７３，７４は、それぞれ形状記憶合金から構成されており、所定温度（例えば４０℃）に加熱されると、図１２（ａ）に示すように伸張された形状に変形し、その状態から常温まで冷却されると、図１２（ｂ）に示すように屈曲された形状に戻る特徴を有している。尚、図１２では、タグ本体部２がＩＣチップ５とアンテナコイル６とが内蔵されてなるＲＦＩＤタグにより構成されている場合を示しているが、上記した第１の実施形態ないし第３の実施形態に記載したものと同様にして、タグ本体部２が２次元コードタグにより構成されていても良い。
【００６１】
図１３は、上記したタグ取付具７１をアワビに取付けるために用いられる取付装置の構成を概略的に示している。取付装置８１は、切出機構８２と本体８３とから構成されている。切出機構８２は、図１５に示すように、タグ取付具７１の押出方向とは垂直な方向（
図１５中矢印Ｇ１，Ｇ２方向）に移動可能な２つの移動部材８４，８５を有する筒状の押出ガイド８６を備えて構成されている。
【００６２】
一方、本体８３は、頭部８７と把持部８８とが一体に連なって構成されている。この場合、頭部８７は、複数のタグ取付具７１を直列に収容可能な筒状のマガジン８９の一端が装着されていると共に、押出ガイド８６に収容されているタグ取付具７１を外部に押出すための直進駆動モータ９０と、押出ガイド８６の移動部材８４，８５を移動させて押出ガイド８６を開閉させるための開閉駆動モータ９１とを備えて構成されている。
【００６３】
マガジン８９は、タグ取付具７１の２本の変形部材７３，７４を加熱させるためのヒータ９２を備えて構成されている。ヒータ９２は、マガジン８９の下部、つまり、タグ取付具７１が押出されるまでに要する時間が相対的に長い部分では、タグ取付具７１の常温での変形部材７３，７４の形状に合致するように、図１４（ａ）に示すような形状に形成されており、一方、マガジン８９の上部、つまり、タグ取付具７１が押出されるまでに要する時間が相対的に短い部分では、タグ取付具７１の加熱状態での変形部材７３，７４の形状に合致するように、図１４（ｂ）に示すような形状に形成されている。つまり、タグ取付具７１は、マガジン８９の下部から上部に向けて移動する過程で徐々に加熱され、その変形部材７３，７４の形状が加熱の程度に応じて徐々に変化するようになっている。
【００６４】
また、把持部８８は、上記した第１の実施形態に記載した取付装置１１の把持部１７と同様にして、作業者が操作するための例えば押しボタン式の操作スイッチ９３と、取付装置８１の動作全体を制御する制御回路９４とを備えると共に、動作電源となる電池９５が電池着脱機構を介して着脱可能に構成されている。
【００６５】
このように構成された取付装置８１によれば、制御回路９４は、作業者が操作スイッチ９３を操作すると、開閉駆動モータ９１を駆動させ、移動部材８４を図１５中矢印Ｇ１方向に移動させると共に移動部材８５を図１５中矢印Ｇ２方向に移動させ、押出ガイド８６を開放させることにより、マガジン８９の最上位に収容されているタグ取付具７１を押出ガイド８６に収容させる。そして、制御回路９４は、開閉駆動モータ９１を駆動させ、移動部材８４，８５を移動部材８４を図１５中矢印Ｇ２方向に移動させると共に移動部材８５を図１５中矢印Ｇ１方向に移動させ、押出ガイド８６を閉塞させる。このとき、マガジン８９から押出ガイド８６に収容されたタグ取付具７１が移動部材８４，８５により締付けられないようになっている。
【００６６】
次いで、制御回路９４は、直進駆動モータ９０を駆動させ、押出部材９６を図１３中矢印Ｈ１方向に所定ストローク分だけ移動させることにより、押出ガイド８６に収容されているタグ取付具７１を押出部材９６により押出口８６ａから外部に押出す。そして、制御回路９４は、直進駆動モータ９０を駆動させ、押出部材９６を図１３中矢印Ｈ２方向に所定ストローク分だけ移動させることにより、押出部材９６を元の位置に復帰させる。
【００６７】
次に、上記した構成の作用として、上記した取付装置８１を用いてタグ取付具７１をアワビに取付ける手順について、図１１を参照して説明する。
最初に、作業者は、取付装置８１を殻２９（吸水孔３０）に近付け、タグ取付具７１の変形部材７３，７４を吸水孔３０に挿入可能な位置に取付装置８１を位置決めする（図１２（ａ）参照）。次いで、作業者は、取付装置８１の操作スイッチ９３を操作し、タグ取付具７１を取付装置８１から吸水孔３０に押出す。このとき、タグ取付具７１は、上記したように変形部材７３，７４が熱により弾性変形された状態で押出口８６ａから外部に押出されることになるので、基台部材７２が吸水孔３０の縁部３０ｂに当接されると共に変形部材７３，７４が吸水孔３０に挿入される（図１２（ｂ）参照）。そして、作業者は、取付装置８１を殻２９から遠ざける。これ以後、変形部材７３，７４が常温になると、変形部材７３，７４が弾性変形されている形状から元の形状に復帰し、つまり、変形部材７３，７４が屈曲することにより、変形部材７３，７４が吸水孔３０の内周部分３０ａで殻２９に係止されることになる（図１２（ｃ）参照）。
【００６８】
これにより、作業者は、以上に説明した一連の手順を行うことにより、殻２９の外側から取付作業を行うことにより、タグ取付具７１をアワビに取付けることができ、ＲＦＩＤタグや２次元コードタグをアワビに取付けることができる。また、この場合も、上記した一連の手順を連続して行うことにより、ＲＦＩＤタグや２次元コードタグを複数のアワビに連続して取付けることができる。
【００６９】
以上に説明したように第４の実施形態によれば、取付装置８１を用いて、タグ取付具７１の変形部材７３，７４を取付装置８１から与えられる熱により弾性変形させた状態で吸水孔３０に挿入させ、その弾性変形された変形部材７３，７４を吸水孔３０の内周部分３０ａで復元させ、その復元力により変形部材７３，７４を吸水孔３０の内周部分３０ａで殻２９に係止させるようにした。これにより、上記した第１の実施形態に記載したものと同様にして、作業者は、殻２９の外側から取付作業を行うことにより、アワビの殻２９の内側に付着している身に損傷を与えることなく、タグ取付具７１をアワビに取付けることができ、ＲＦＩＤタグや２次元コードタグをアワビに取付けることができる。
【００７０】
（その他の実施形態）
本発明は、上記した実施形態にのみ限定されるものではなく、以下のように変形または拡張することができる。
【００７１】
タグが取付けられる商品（タグ取付対象物）は、アワビに限らず、他のものであっても良い。また、自然的に形成された孔を利用してタグを取付けることに限らず、人為的に孔を形成し、その人為的に形成された孔を利用してタグを取付ける方法に適用しても良い。
第２の実施形態ないし第４の実施形態において、弾性変形部材や変形部材は、３本以上の線状部材から構成されていても良い。
【００７２】
取付装置において、タグ取付具を押出すための押出機構、タグ取付具の弾性変形部材を弾性変形させるための弾性変形機構および第３の実施形態で説明した曲げ機構やラッチ機構は、他の原理が適用された構成であっても良い。
【図面の簡単な説明】
【００７３】
【図１】本発明の第１の実施形態の手順を概略的に示す図
【図２】タグ取付具の斜視図
【図３】取付装置の構成を概略的に示す断面図
【図４】本発明の第２の実施形態の手順を概略的に示す図
【図５】図２相当図
【図６】本発明の第３の実施形態の手順を概略的に示す図
【図７】図２相当図
【図８】図３相当図
【図９】取付装置の動作を概略的に示す図
【図１０】ラッチ機構の動作を概略的に示す図
【図１１】本発明の第４の実施形態の手順を概略的に示す図
【図１２】図２相当図
【図１３】図３相当図
【図１４】ヒータの形状を概略的に示す図
【図１５】押出ガイドの開閉機構を概略的に示す図
【符号の説明】
【００７４】
図面中、１はタグ取付具、２はタグ本体部、４は弾性変形部材（変形部材）、１１は取付装置、２７は押出機構、２８は弾性変形機構、２９は殻（本体）、３０は吸水孔（孔）、３０ａは内周部分、３１はタグ取付具、３２，３３は弾性変形部材（変形部材）、４１はタグ取付具、４２，４３は弾性変形部材（変形部材）、５１は取付装置、７１はタグ取付具、７３，７４は変形部材、８１は取付装置である。
【図１】
2005189916.tif 000003
【図２】
2005189916.tif 000004
【図３】
2005189916.tif 000005
【図４】
2005189916.tif 000006
【図５】
2005189916.tif 000007
【図６】
2005189916.tif 000008
【図７】
2005189916.tif 000009
【図８】
2005189916.tif 000010
【図９】
2005189916.tif 000011
【図１０】
2005189916.tif 000012
【図１１】
2005189916.tif 000013
【図１２】
2005189916.tif 000014
【図１３】
2005189916.tif 000015
【図１４】
2005189916.tif 000016
【図１５】
2005189916.tif 000017